(57)【要約】本発明は忠実に結像され視覚化された遠隔操作のための方法に関している。この場合プラスチック加工機械装置の制御装置が第１の画面を有しており、この画面上で変更された画面情報が（走査）線毎に配列された画素で表示され、この制御装置は遠隔操作ユニットに接続されている。この遠隔操作ユニットは第２の画面を有している。ここでは遠隔操作ユニットの汎用的な適用性を保証するために、制御装置の画面内容を実質的に同じように遠隔操作ユニットの画面上に伝送する圧縮方法が提案されている。
2006511127.tif 000002
【特許請求の範囲】
【請求項１】
忠実に結像され視覚化された遠隔操作のための方法であって、
プラスチック加工機械装置の制御装置が第１の画面を有しており、該第１の画面上に変更する画像情報が走査線毎に表示され、前記制御装置は、遠隔操作ユニットに接続されており、該遠隔操作ユニットは第２の画面を有している形式の方法において、
第１の画面の画像領域を走査線毎に走査するステップと、
先行する走査ステップに対して変更が生じている場合に、画像走査線の情報を圧縮するステップと、
圧縮されたデータを遠隔操作ユニットに伝送するステップと、
伝送されたデータを圧縮解除するステップと、
伝送されたデータを用いて前記第２の画面の画像領域を構築するステップとを有し、ここにおいて前記第１の画面の画面内容と実質的に同じ画面内容がシミュレートされるようにしたことを特徴とする方法。
【請求項２】
前記圧縮は、“ランレングスエンコーディング”手法を用いて実施される、請求項１記載の方法。
【請求項３】
１つの画面走査線の画素列の順次連続する同じ画素列が統合され、所定数の画素列を有する１つのフォーマットで記憶される、請求項１または２記載の方法。
【請求項４】
１つの走査線の内容の一部に変更が生じた際に、不変の画素列はジャンプする、請求項１から３いずれか１項記載の方法。
【請求項５】
圧縮しないデータ量が圧縮後のデータ量よりも小さい場合には、画面走査線の圧縮を中止する、請求項１から４いずれか１項記載の方法。
【請求項６】
圧縮された複数の画面走査線を遠隔操作ユニットへの伝送前に再度圧縮する、請求項１から５いずれか１項記載の方法。
【請求項７】
遠隔操作ユニットの入力ユニットを介して複数のデータを入力し、それらのデータをプラスチック加工機械装置の制御装置に伝送する、請求項１から６いずれか１項記載の方法。
【発明の詳細な説明】
【技術分野】
【０００１】
本発明は、請求項１の上位概念による、忠実に結像され視覚化された遠隔操作のための方法に関している。
【０００２】
背景技術
プラスチック加工機械装置、特に押出成形機や射出成形機においては、ケーブル、モデム、インターネットなどの通信接続手段を介して遠隔操作できるようにすることが益々望まれてきている。このような関係においては従来技術として欧州特許出願 EP 917 034 号明細書があげられ、そこでは１つ又はそれ以上の射出成形機の例えばインターネット接続を用いた遠隔操作手段が開示されている。またこれとは別に、伝送すべきデータ量を縮小するための圧縮アルゴリズムも公知である。
【０００３】
これまでの遠隔操作方法や装置において問題となってきたのは、一方の遠隔操作局側と接続される機械装置側との間で例えばコンフィグレーションマッチングなどの所要の適応化が必要になることである。相応に接続される機械装置に対する遠隔操作の調整に対しては通常は固有のコンフィグレーションしか許容されない。従って遠隔操作装置を別の射出成形機に利用するためには、再度の適応化が必要となる。このようなことは、射出成形機械もしくは押出成形機械の制御に遠隔操作を完全に統合化させる場合には無視できない問題となる。
【０００４】
本発明の課題は、遠隔操作局と接続される機械との間の過度な構成上の適応化を必要とすることなく、迅速でかつ確実な診断や遠隔操作整備が保証される、遠隔操作のための方法を提供することである。
【０００５】
前記課題は請求項１の特徴部分に記載された本発明による方法によって解決される。
【０００６】
本発明によれば、１つの要素として次のような考察を含んでいる遠隔操作のための方法が提案されている。すなわちプラスチック加工機械装置の制御機器の画面内容を対等（１：１）の割合で遠隔捜査局の画面上に伝送すること、つまり先行する走査過程に対する目下の走査過程の変更を圧縮した形態でそのつど伝送するようにすることである。このような画面内容の１：１の伝送によれば、付加的なコンフィグレーションマッチングは必要なくなる。それどころか使用者にとっては遠隔操作モニターにおいて本来は制御装置のモニタ上で識別できる全てのデータが確認できるようになる。ただし画面内容の全てをデータ伝送するのには比較的長い時間が必要になってくる。それに対しては、圧縮技術の支援のもとで専ら先行する画面内容に対する変更箇所のみを伝送することで非常に迅速でかつ確実なデータ伝送が可能になる。
【０００７】
本発明による方法の実施の際には、プラスチック加工機械装置の制御装置の第１の画面の画面領域が先ず走査線毎に走査される。各走査ステップの後では、当該走査線において、同じ走査線の先行の走査ステップとの間で変更が生じているかどうかが検査される。変更が検出された場合には、この画面走査線のデータ内容が圧縮される。そのように圧縮されたデータは、遠隔操作ユニットへ伝送され、そこで圧縮解除（解凍）される。解凍された内容は当該の遠隔操作ユニットの画面上に表示される。それにより遠隔操作ユニットの画面上には当該プラスチック加工機械装置の制御装置の画面上に現れているのと実質的に同じ画像情報が存在する。専ら変更された領域のみの伝送によって、完全な画像領域毎の全ての画面情報の一部だけを伝送するだけでよく、これによって遠隔操作側の画面構築の加速が達成される。
【０００８】
有利には、それ自体公知のいわゆる“ランレングスエンコーディング（ＲＬＥ）”アルゴリズムが用いられる。しかしながらその他のアルゴリズム、例えばいわゆるデフレーションアルゴリズムやＬＺ７７圧縮技法のさらなる変化例、あるいはその他の公知のアルゴリズムなども適用可能である。
【０００９】
本発明の有利な実施形態によれば、複数の圧縮された画面走査線（例えばｎ個の走査線）が１つのデータパケットに統合され、このデータパケットが伝送される。
【００１０】
伝送データのさらなる低減は、変更のあった画面走査線を全部ではなくて、その時に実際に変更の生じた走査線部分のみを伝送することによって達成される。また別の有利な実施例によれば、例えば不変の画素列をジャンプするジャンプ命令が用いられる。これらの画素列は、例えば短縮された形態で所定数の画素列毎に記憶されてもよい。
【００１１】
また検査を次のような形式に構成してもよい。すなわち、圧縮後のデータ量が圧縮しないデータ量よりも小さくなる場合にのみ、データの圧縮を実施するかないしはデータを圧縮された形態で伝送するように構成してもよい。つまり圧縮は目的に合った時にのみ実施される。
【００１２】
遠隔操作ユニットからプラスチック加工機械装置の制御装置へ入力命令を返信する場合にも、このことは簡単に実施できる。なぜならそれらのデータ量は、通常はごく僅かな規模でしかないからである。有利には操作システムも画面と計算ユニットと入力ユニットからなる。
【００１３】
実施例
以下では本発明の実施形態を図面に基づいてフローチャートの形態で詳細に説明する。
【００１４】
図１に示されている本発明の方法によれば、ステップ１０においてまず所定の画面走査線が走査される。ステップ１２では、同じ画面走査線の先行する走査ステップに対する変更が生じているか否かが検査される。
【００１５】
変更がない場合には、ステップ１０にフィードバックされ、次の画面走査線が走査される。しかしながらステップ１２において先行の走査ステップに対する変更の存在が検出された場合には、この画面走査線が圧縮される。その際には、前述した方法が利用される。そのような方法は、例えばインターネットで入手可能である。
【００１６】
この場合は特に実際に変更を生じている画面走査線の走査線区分のみが圧縮過程においてピックアップされ、圧縮を施される。
【００１７】
ステップ１６では、ｎ個の所定数の画面走査線が既に圧縮されているかどうかが検査される。ここでの数値ｎは、この場合当該方法の管理者によって設定され得る。まだそれほど多くの画面走査線が圧縮されていない場合には、ステップ１６から再び次の画面走査線を走査すべくフィードバックされる（ステップ１０）。
【００１８】
ステップ１６で、ｎ個の画面走査線が圧縮されたことが検出されると、ステップ１８においてｎ個の圧縮された画面走査線のさらなる圧縮からなるデータパケットが形成される。この圧縮は、ＬＺＷアルゴリズムに従って行われる。このデータパケットは、引き続きステップ２０において遠隔操作ユニットに伝送される。また同時にステップ１０にフィードバックされ、次の画面走査線が走査される。
【００１９】
ステップ２２では、遠隔操作ユニット側で当該データパケット並びに個々の画面走査線が圧縮解除され、それらの情報からステップ２４において遠隔操作ユニット側の画面が、制御装置の第１の画面における先行の走査ステップに対する変更を含んで伝送されたデータによって相応に変更されて構築される。それにより、迅速でかつ簡単な形式で遠隔操作側にプラスチック加工機械装置の制御側と同じ画面情報が現れる。これらの情報に基づいて遠隔操作者は診断や所要の遠隔操作手段を認識することが可能となる。
【００２０】
その上さらに遠隔操作者は、場合によって存在する入力手段を介して、遠隔操作側でなんらかの命令やパラメータ情報を入力することができ、例えば射出成形機械に伝送することが可能である。これらのデータは大抵は比較的少ないデータ量なので、通常の場合はそれらのデータを圧縮する必要はない。
【００２１】
特に本発明の方法を用いれば、遠隔操作ユニットとプラスチック加工機械装置の特別なコンフィグレーションマッチングが避けられる。この遠隔操作システムは、その適用に関して非常に順応性が高い。
【図面の簡単な説明】
【００２２】
【図１】本発明による方法の実施例を表わしたフローチャート
【図１】
2006511127.tif 000003
【国際調査報告】
2006511127.tif 000004
2006511127.tif 000005
2006511127.tif 000006
2006511127.tif 000007